(57)【要約】【課題】本発明は上記の点に鑑みてなされたものであり、その目的とするところは、採光板や天窓枠での室内側の結露の発生を防止でき、尚且つ屋根の外観が良く、コストのかからない結露防止機能付き天窓を提供する。【解決手段】建物の屋根面２に形成した屋根面開口部５に取付けられる天窓枠６を有する。該天窓枠６の上開口部６ｂに採光板８を設ける。天窓枠６の内側面６ａの採光板８よりも下方に位置する箇所に吸放湿性を有すると共に吸湿により発熱する吸放湿材１２を設ける。【選択図】　　　　図１
2004060238.tif 000002
【特許請求の範囲】
【請求項１】
建物の屋根面に形成した屋根面開口部に取付けられる天窓枠を有し、該天窓枠の上開口部に採光板を設け、天窓枠の内側面の採光板よりも下方に位置する箇所に吸放湿性を有すると共に吸湿により発熱する吸放湿材を設けて成ることを特徴とする結露防止機能付き天窓。
【請求項２】
上記天窓枠の下開口部の吸放湿材より下方に位置する箇所に透光板を設け、該透光板に透光板と採光板との間の空間と透光板の下方の室内空間とを連通させる通気孔を設けて成ることを特徴とする請求項１記載の結露防止機能付き天窓。
【発明の詳細な説明】
【０００１】
【発明の属する技術分野】
本発明は、結露防止機能付き天窓に関するものである。
【０００２】
【従来の技術】
従来から、建物の屋根面２に設けられた天窓１′を利用して、室外３からの採光を行う技術が知られている。この天窓１′は屋根面２に形成された屋根面開口部５に取付けられる天窓枠６′を有しており、該天窓枠６′の上開口部６ｂ′には採光板８′が設けられている。
【０００３】
ところで、上記の天窓１′は冬季等において室外３温度が室内４温度よりも低く且つ室内４の湿度が高い場合、図２の破線部分に示す室内４の採光板８′の下面８ａ′や天窓枠６′の内側面６ａ′で結露が発生してしまうという問題があった。このため従来では図２、図３に示すように採光板８′としてペアガラスや、表面に断熱性と透光性を有する金属膜が貼着されたペアガラスや、トリプルガラス等の断熱性の優れた採光板８′を用いた結露防止機能付き天窓１′を使用することで室内４の採光板８′の下面８ａ′や天窓枠６′の内側面６ａ′での結露の発生を抑制していた。
【０００４】
しかしながら、上記従来の結露防止機能付き天窓１′においては、採光板８′として断熱性を有するものを使用しなければならず、この採光板８′は重量が重く天窓枠６′の強度や、取付け強度を強くする必要があり、また採光板８′は高価であるため、これにより結露防止機能付き天窓１′のコストがかかってしまっていた。
【０００５】
また上記のように採光板８′に断熱性を有するものを使用したとしても、室内４の湿度が非常に高かったり、室内４と室外３の温度差が大きい場合には、室内４側に結露が発生してしまうことがあるのだが、従来ではこれを防止するために図３に示すように天窓枠６′に室内４と室外３とを連通させる水抜き孔９を設け、これにより室内４に結露した水を水抜き孔９から室外３に水抜きしていた（図３矢印参照）。
【０００６】
しかし、この水抜き孔９を設けた結露防止機能付き天窓１′においては、室外３の屋根面２上の水が逆流して水抜き孔９を通って室内４に入ってしまうことを防止するために、図２に示すように結露防止機能付き天窓１′を屋根面２（屋根下地材１０に葺設した瓦材１１）よりも上方に突出させて水抜き孔９を屋根面２よりも高い位置に配設しなければならず、これによって結露防止機能付き天窓１′が屋根面２よりも上方に突出してしまい、屋根の外観が悪くなってしまうという問題があった。
【０００７】
【発明が解決しようとする課題】
本発明は上記の点に鑑みてなされたものであり、その目的とするところは、採光板や天窓枠での室内側の結露の発生を防止でき、尚且つ屋根の外観が良く、コストのかからない結露防止機能付き天窓を提供することを課題とするものである。
【０００８】
【課題を解決するための手段】
上記課題を解決するために本発明に係る結露防止機能付き天窓は、建物の屋根面２に形成した屋根面開口部５に取付けられる天窓枠６を有し、該天窓枠６の上開口部６ｂに採光板８を設け、天窓枠６の内側面６ａの採光板８よりも下方に位置する箇所に吸放湿性を有すると共に吸湿により発熱する吸放湿材１２を設けて成ることを特徴とするものである。
【０００９】
このように天窓枠６の内側面６ａの採光板８よりも下方に位置する箇所に吸放湿性を有すると共に吸湿により発熱する吸放湿材１２を設けることで、室内４の湿度が高くなった場合においては、室内４の採光板８の下面８ａや天窓枠６の内側面６ａ付近の空気の湿気を吸放湿材１２により吸湿し、そしてこの吸湿により吸放湿材１２は自己発熱して採光板８の下面８ａや天窓枠６の内側面６ａ付近の周囲温度を上昇させて相対湿度を低減し（飽和水蒸気量を多くし）、これにより吸放湿材１２に吸湿した水を空気中に放湿し、これら一連のサイクルを繰り返して、採光板８の下面８ａや天窓枠６の内側面６ａ付近の湿度が高くなった空気の湿気を吸湿し続けて、結露の発生を防止することができる。また、天窓枠６の内側面６ａの採光板８よりも下方に位置する箇所に吸放湿材１２が設けられているので、例え結露が発生したとしても、この結露した水は吸放湿材１２により吸湿され、この後前記した一連のサイクルを繰り返して結露した水も吸湿し続けることができる。
【００１０】
また請求項２記載の結露防止機能付き天窓は請求項１記載の結露防止機能付き天窓において、上記天窓枠６の下開口部６ｃの吸放湿材１２より下方に位置する箇所に透光板１３を設け、該透光板１３に透光板１３と採光板８との間の空間４ａと透光板１３の下方の室内空間４ｂとを連通させる通気孔１４を設けて成ることを特徴とするものである。
【００１１】
このように、天窓枠６の下開口部６ｃの吸放湿材１２より下方に位置する箇所に透光板１３を設け、該透光板１３に透光板１３と採光板８との間の空間４ａと透光板１３の下方の室内空間４ｂとを連通させる通気孔１４を設けることで、透光板１３の下方の室内空間４ｂの湿った空気は通気孔１４を介して採光板８と透光板１３との間の空間４ａに浸入した後、吸放湿材１２により吸湿されることとなり、この採光板８と透光板１３との間の空間４ａに浸入する透光板１３の下方の室内空間４ｂの空気により透光板１３の下面１３ａと透光板１３の下方の室内空間４ｂとの間に温度差が生じ難くなり、これにより簡単な構成で透光板１３の下面１３ａにおいても結露の発生を防止することができる。また、透光板１３を設け、透光板１３と採光板８との間の空間４ａと、透光板１３の下方の室内空間４ｂとを仕切ることで、透光板１３と採光板８との間の空間４ａを吸放湿材１２の吸湿により湿度の低い空間とし、この湿度の低い空間４ａを湿度の高い透光板１３の下方の室内空間４ｂから独立させることができ、これによって採光板８の下面８ａや天窓枠６の内側面６ａ付近の空気をより吸湿できるようになり、より一層の結露防止を行うことができる。
【００１２】
【発明の実施の形態】
以下、本発明を添付図面に示す実施形態に基づいて説明する。なお、以下の実施形態では、建物の設置面（図示せず）に対して傾斜した屋根面２に取付けられる結露防止機能付き天窓１について説明しているが、結露防止機能付き天窓１は建物の設置面に対して平行に配設された屋根面２に取付けてあっても良い。また以下の説明では屋根面２から見て室外３側の方向、すなわち屋根面２に対して垂直上向きの方向を単に上方向と称し、屋根面２から見て室内４側の方向、すなわち屋根面２に対して垂直下向きの方向を単に下方向と称して説明するものとする。
【００１３】
図１には本実施形態における結露防止機能付き天窓１が示されており、この結露防止機能付き天窓１は建物の屋根面２に形成した屋根面開口部５に取り付けられている。
【００１４】
詳述すると、図に示すように建物の屋根面２は屋根下地材１０と、屋根下地材１０の上面（室外側の面）に葺設された瓦材１１とで構成されており、この屋根面２は建物の設置面に対して傾斜している。屋根下地材１０の下面には矩形状の桟木１５の上面が取付けられており、屋根面２の桟木１５の開口１５ａと対応する箇所には矩形状の孔１６が形成されており、この屋根面２に形成した矩形状の孔１６と桟木１５とで前述した屋根面開口部５を形成している。
【００１５】
上記屋根面開口部５の内側面には結露防止機能付き天窓１が設けられている。結露防止機能付き天窓１は屋根面開口部５に取付けられる矩形状の天窓枠６で主体を構成しており、該天窓枠６は木質材又は合成樹脂材又は木質材に合成樹脂材を含浸させて形成している。また天窓枠６は上面が屋根下地材１０の上面よりもやや室外３側に位置し且つ瓦材１１の上端部よりも室内４側に位置するように、すなわち屋根面２より室外３側に突出しないように配設されている。
【００１６】
上記天窓枠６の上面の内周縁部には採光板載置用段部１７が周設されており、この採光板載置用段部１７には矩形状の単板ガラスのような採光板８の外周端部が載設されている。採光板８の上面は天窓枠６の上面と面一となっており、採光板８の上面外周端部には図に示すような一端部が屋根下地材１０上面に取付けられた上枠１８の他端部が載設されており、これにより採光板８は上枠１８の他端部下面と採光板載置用段部１７の底面とで挟持され、天窓枠６の上開口部６ｂに取付けられる。なお、この上枠１８は屋根面開口部５と天窓枠６との間の隙間や、天窓枠６と採光板８との間の隙間の上方を覆っており、屋根面２の水が前記各隙間から室内４に入らないようにする水切りの役割も果たしている。
【００１７】
天窓枠６の内側面６ａの下端部には透光板嵌め込み溝部１９が周設されており、この透光板嵌め込み溝部１９には矩形状のポリカーボネートやアクリル等の透明樹脂板のような透光板１３の外周端部が嵌め込まれ、これにより天窓枠６の下開口部６ｃに透光板１３が配設される。透光板１３には透光板１３と採光板８との間の空間４ａと透光板１３の下方の室内空間４ｂとを連通させる通気孔１４が形成されており、該通気孔１４は透光板１３の外周端部付近に複数設けられている。
【００１８】
天窓枠６の内側面６ａの採光板８よりも下方に位置する箇所には吸放湿性を有すると共に吸湿により自己発熱するポリエステル材のような吸放湿材１２が設けられており、この吸放湿材１２は天窓枠６の採光板載置用段部１７と透光板嵌め込み溝１９との間の内側面６ａに全周に亘って設けられている。
【００１９】
天窓枠６の下面には矩形状の孔を有する筒状体２０の上面が接続されており、該筒状体２０の矩形状の孔は下方に行くにつれてより大きな矩形状の孔となるように形成されている。また、筒状体２０の下端部は室内４の天井２１に接続されている。
【００２０】
然して、上記屋根面２の屋根面開口部５に取付けられた結露防止機能付き天窓１により、室外３から室内４に採光することが可能となる。
【００２１】
ここで前述した吸放湿材１２について説明すると、吸放湿材１２としては例えば以下に掲げるような高吸放湿吸湿発熱性不織布等が用いられる。この高吸放湿吸湿発熱性不織布としては、吸水性が高く且つ放湿性を有し、尚且つ吸湿した際に発熱を示す高吸放湿吸湿発熱性有機微粒子を保有した、ポリエステル系、ポリアミド系、ポリアクリロニトリル系等の合成繊維、レーヨン、アセテート等の半合成繊維、木綿、シルク、ウール等の天然繊維、またはこれらを混用したもの等の不織布が挙げられ、上記高吸放湿吸湿発熱性有機微粒子はポリウレタン系樹脂、アクリル系樹脂、ポリアミド系樹脂、ポリエステル樹脂等の接着剤を用いてディッピング法や吸尽法やコーティング法により不織布繊維に固着されて不織布に保有されたものである。なお、上記高吸放湿吸湿発熱性有機微粒子としては塩系カルボキシル基を有し、且つ架橋構造を有する有機微粒子が用いられ、この高吸放湿吸湿発熱性有機微粒子としては例えば、アクリロニトリルを含むアクリル系樹脂にヒドラジン処理により架橋構造を導入し加水分解により残存しているニトリル基を塩系カルボキシル基に化学変換せしめたアクリル系金属変性粒子等が挙げられる。また、この吸放湿材として東洋紡績株式会社製の商品名「エクスライブ」等を利用しても良い。
【００２２】
本実施形態における結露防止機能付き天窓１は上記のような吸放湿性を有すると共に吸湿により発熱する吸放湿材１２を天窓枠６の内側面６ａの採光板８よりも下方に位置する箇所に設けることで、冬季等において室外３温度が室内４温度よりも低く且つ室内４の湿度が高い場合、採光板８や天窓枠６の室内４側での結露の発生を防止することができる。以下この点について詳述する。
【００２３】
既述したように本実施形態における結露防止機能付き天窓１は、天窓枠６の内側面６ａの採光板８よりも下方に位置する箇所に吸放湿性を有すると共に吸湿により発熱する吸放湿材１２を設けているので、室内４の湿度が高くなった場合においては、室内４の採光板８の下面８ａや天窓枠６の内側面６ａ付近の湿気を吸放湿材１２により吸湿し、そしてこの吸湿により吸放湿材１２は自己発熱して採光板８の下面８ａや天窓枠６の内側面６ａ付近の周囲温度を上昇させて相対湿度を低減し（飽和水蒸気量を多くし）、これにより吸放湿材１２に吸湿した水を空気中に放湿し、これら［（室内４の採光板８の下面８ａや天窓枠６の内側面６ａ付近の空気の湿度上昇）→（吸放湿材１２で吸湿）→（吸放湿材１２が自己発熱）→（室内４の採光板８の下面８ａや天窓枠６の内側面６ａ付近の空気温度が上昇）→（室内４の採光板８の下面８ａや天窓枠６の内側面６ａ付近の空気の相対湿度低減）→（吸放湿材１２が放湿）］という一連のサイクルを繰り返して、採光板８の下面８ａや天窓枠６の内側面６ａ付近の湿度が高くなった空気の湿気を吸湿し続けて、室内４の採光板８の下面８ａや天窓枠６の内側面６ａ付近の空気の湿度を低い状態を保ち、これにより結露の発生を防止することができる。また、天窓枠６の内側面６ａの採光板８よりも下方に位置する箇所に吸放湿材１２が設けられているので、例え結露が発生したとしても、この結露した水は吸放湿材１２により吸湿され、この後前記した一連のサイクルを繰り返して結露した水も吸湿し続けることができる。また、上記のように吸放湿材１２は湿気の吸湿により発熱するので、室内４の採光板８の下面８ａや天窓枠６の内側面６ａの温度を上昇させ、室内４の採光板８の下面８ａや天窓枠６の内側面６ａ付近の空気と室内４の採光板８の下面８ａや天窓枠６の内側面６ａとの温度差を少なくすることができ、この点からも結露の発生を防止することができる。更にこの場合、従来例に示したように採光板８として断熱性の優れたものを用いる必要がないので、軽くて安価な採光板８を用いる事ができ、これにより結露防止機能付き天窓１のコスト削減になり、また例え結露したとしても吸放湿材１２によりこの結露した水を吸湿することができるため、従来例のように天窓枠６を屋根面２に突出させて配設する必要がなく、これにより屋根の外観を向上させることができる。なお、本実施形態においては天窓枠６の上面を屋根下地材１０の上面よりもやや室外４側に位置するように配設した例を示したが、天窓枠６の室外３側の面が屋根下地材１０の上面と同じとしたり、天窓枠６の上面が屋根下地材１０の上面よりも下方に位置するように配設してあっても良く、この場合、より一層屋根の外観を向上させることができる。
【００２４】
また、本実施形態においては天窓枠６の下開口部６ｃの吸放湿材１２より下方に位置する箇所に透光板１３を設け、該透光板１３に透光板１３と採光板８との間の空間４ａと透光板１３の下方の室内空間４ｂとを連通させる通気孔１４を設けているので、透光板１３の下方の室内空間４ｂの湿った空気は通気孔１４を介して採光板８と透光板１３との間の空間４ａに浸入した後（図１矢印参照）、吸放湿材１２により吸湿されることとなり、この採光板８と透光板１３との間の空間４ａに浸入する透光板１３の下方の室内空間４ｂの空気により透光板１３の下面１３ａと透光板１３の下方の室内空間４ｂとの間に温度差が生じ難くなり、これにより簡単な構成で透光板１３の下面１３ａにおいても結露の発生を防止することができる。また、透光板１３を設け、透光板１３と採光板８との間の空間４ａと、透光板１３の下方の室内空間４ｂとを仕切ることで、透光板１３と採光板８との間の空間４ａを吸放湿材１２の吸湿により湿度の低い空間として湿度の高い透光板１３の下方の室内空間４ｂから独立させることができ、これによって採光板８の下面８ａや天窓枠６の内側面６ａ付近の空気をより吸湿できるようになり、より一層の結露防止を行うことができる。
【００２５】
なお、本実施形態においては、天窓枠６の下開口部６ｃの吸放湿材１２より下方に位置する箇所に透光板１３を設け、該透光板１３に透光板１３と採光板８との間の空間４ａと透光板１３の下方の室内空間４ｂとを連通させる通気孔１４を設けた例を示したが、透光板１３及び通気孔１４を設けず、建物の屋根面２に形成した屋根面開口部５に取付けられる天窓枠６を有し、該天窓枠６の上開口部６ｂに採光板８を設け、天窓枠６の内側面６ａの採光板８よりも下方に位置する箇所に吸放湿性を有すると共に吸湿により発熱する吸放湿材１２を設けてあるだけの結露防止機能付き天窓１あっても良いものとし、この場合、吸放湿材１２により室内４の採光板８の下面８ａや天窓枠６の内側面６ａ付近の空間を湿度の少ない空気とすることで、筒状体２０よりも上方の空間を筒状体２０よりも下方の空間よりも湿度の少ない空気とすることができ、これにより筒状体２０よりも上方の空間における結露の防止を行うことができるものである。
【００２６】
【発明の効果】
上記のように本発明の請求項１記載の発明にあっては、天窓枠の内側面の採光板よりも下方に位置する箇所に吸放湿性を有すると共に吸湿により発熱する吸放湿材を設けることで、室内の湿度が高くなった場合においては、室内の採光板の下面や天窓枠の内側面付近の空気の湿気は吸放湿材により吸湿され、そしてこの吸湿により吸放湿材は自己発熱して採光板の下面や天窓枠の内側面付近の周囲温度を上昇させて相対湿度を低減し（飽和水蒸気量を多くし）、これにより吸放湿材に吸湿した水を空気中に放湿し、これら一連のサイクルを繰り返して、採光板の下面や天窓枠の内側面付近の湿度が高くなった空気の湿気を吸湿し続けて、湿度の低い状態を保ち、これにより結露の発生を防止することができる。また、天窓枠の内側面の採光板よりも下方に位置する箇所に吸放湿材が設けられているので、例え結露が発生したとしても、この結露した水は吸放湿材により吸湿され、この後前記した一連のサイクルを繰り返して結露した水も吸湿し続けることができる。
【００２７】
また請求項２記載の発明にあっては、上記請求項１記載の発明の効果に加えて、天窓枠の下開口部の吸放湿材より下方に位置する箇所に透光板を設け、該透光板に透光板と採光板との間の空間と透光板の下方の室内空間とを連通させる通気孔を設けることで、透光板の下方の室内空間の湿った空気は通気孔を介して採光板と透光板との間の空間に浸入した後、吸放湿材により吸湿されることとなり、この採光板と透光板との間の空間に浸入する透光板の下方の室内空間の空気により透光板の下面と透光板の下方の室内空間との間に温度差が生じ難くなり、これにより簡単な構成で透光板の下面においても結露の発生を防止することができる。また、透光板を設け、透光板と採光板との間の空間と、透光板の下方の室内空間とを仕切ることで、透光板と採光板との間の空間を吸放湿材の吸湿により湿度の低い空間として湿度の高い透光板の下方の室内空間から独立させることができ、これによって採光板の下面や天窓枠の内側面付近の空気をより吸湿できるようになり、より一層の結露防止を行うことができる。
【図面の簡単な説明】
【図１】本発明の実施形態の一例を示すものであり、結露防止機能付き天窓を屋根面開口部に取付けた状態を説明する説明図である。
【図２】従来の結露防止機能付き天窓を屋根面開口部に取付けた状態を説明する説明図である。
【図３】同上の要部拡大図である。
【符号の説明】
１　　結露防止機能付き天窓
２　　屋根面
４　　室内
４ａ　透光板と採光板との間の空間
４ｂ　透光板の下方の室内空間
５　　屋根面開口部
６　　天窓枠
６ａ　天窓枠の内側面
６ｂ　上開口部
６ｃ　下開口部
８　　採光板
１２　吸放湿材
１３　透光板
１４　通気孔
【図１】
2004060238.tif 000003
【図２】
2004060238.tif 000004
【図３】
2004060238.tif 000005